(57)【要約】　　　（修正有）【課題】雄コネクタが簡単な方法で作動されることができかつ最終接続が達成されないかぎり、雄コネクタを雌コネクタから取り外す力を発生する雄コネクタを提供する。【解決手段】雄コネクタが弾性のロックアーム２２を有する雄コネクタハウジング１４を含んでいる。スライダ３０が、軸方向に制限されて変位可能に保持されて、雄コネクタ１３に配置される。ロック位置でスライダ３０はロックアーム２２の偏向を阻止し、ロック位置から離れた位置でロックアームを解放する。スライダ３０上に支持される圧縮バネ２７は、そのロック位置を取るようにスライダ３０に作用する。鋼の丸いワイヤ製の弾性の保持要素３６がスライダ３０上に取付けられる。バネ脚部３８の無負荷状態において、保持要素３６は雌コネクタハウジング２の端面６に接触する。保持要素３６は、雄コネクタハウジング１４の解放面２５との当接により端面６との接触から外れる。【選択図】図２
2004139985.tif 000002
【特許請求の範囲】
【請求項１】
　雌コネクタ（１）に接続するための雄コネクタ（１３）であって、
　前記雌コネクタ（１）が雌コネクタハウジング（２）を備えており、
　前記雌コネクタハウジング（２）が、
　第１長手方向軸（３）と、
　壁（４）によって囲まれ、且つ前記雌コネクタハウジング（２）の一端面（６）において開口されると共に該一端面（６）に対して間隔を置かれた一端を基部（８）によって閉塞された挿入室（５）と、を有しており、
　複数の第１接点（７）が、前記第１長手方向軸（３）に対して平行に、且つ前記基部（８）から前記挿入室（５）に突出して前記雌コネクタハウジング（２）に配置され、
　少なくとも１つの係止突起（１０）が、前記挿入室（５）を囲む前記壁（４）の外方面（９）上に突出して配置され、
　前記係止突起（１０）が、前記一端面（６）から基部（８）方向に上昇するように前記外方面（９）から隆起された当接面（１１）と、前記基部（８）側に前記外方面（９）に向けられた係止面（１２）を有しており、
　前記雄コネクタ（１３）が、
　雄コネクタハウジング（１４）と、
　スライダ（３０）と、
　少なくとも１つの圧縮バネ（２７）と、
　弾性の保持要素（３６）と、を備え、
　前記雄コネクタハウジング（１４）が、
　第２長手方向軸（１５）と、
　２本の長手方向軸（３，１５）が互いに平行に配置されるときに前記挿入室（５）に挿入可能であると共に、前記複数の第１接点（７）に嵌合して電気的に接続される複数の第２接点への到達を可能にする端面（１７）が設けられた第１ハウジング部（１６）と、
　前記第２長手方向軸（１５）を横断する方向にギャップ（１８）をもって、接続時に前記雌コネクタハウジング（２）の前記壁（４）を収容する第２ハウジング部（１９）と、
　前記第２のハウジング部分（１９）に一体に接続されると共に前記雌コネクタハウジング（２）への接続の際に前記係止突起（１０）に対向して配置されるロック支柱（２３）が設けられた弾性的に偏向可能なロックアーム（２２）と、
　前記ロック支柱（２３）に対して間隔を置かれた前記ロックアーム（２２）の端部に近接し、前記ロック支柱（２３）から離れる方向に前記第２の長手方向軸（１５）から離間していく解放面（２５）と、
　を有し、
　前記スライダ（３０）が、
　前記第２長手方向軸（１５）に沿った方向に制限されて前記雄コネクタハウジング（１４）の前記第２ハウジング部（１９）に変位可能に保持されており、ロック位置において、前記ロックアーム（２２）の無負荷状態からの偏向を防止し、且つロック位置から離れた位置において、前記ロックアーム（２２）を解放し、
　前記圧縮バネ（２７）が、
　一端を前記雄コネクタハウジング（１４）の前記第２のハウジング部分（１９）に支持されると共に他端を前記スライダ（３０）に支持され、前記スライダ（３０）がロック位置をとるように前記スライダ（３０）に作用し、
　前記保持要素（３６）が、
　ロッド状の鋼材料より形成され、
　前記スライダ（３０）に取付けられ、
　前記第２長手方向軸（１５）に対して横方向に弾性変形可能な少なくとも２つのバネ脚部（３８）を有し、
　該バネ脚部（３８）がそれぞれの一端において接続されると共に前記バネ脚部（３８）の無負荷状態において、前記雌コネクタハウジング（２）の前記端面（６）に接触する部分（３７、４０）を形成し、そして前記雄コネクタハウジング（１４）の前記解放面（２５）に当接することによって前記端面（６）の接触から外れ、
　前記バネ脚部（３８）のそれぞれの自由端が取付け部分（３９）として形成されている
　ことを特徴とする雄コネクタ。
【発明の詳細な説明】
【技術分野】
【０００１】
　本発明は、雌コネクタへ接続するための雄コネクタに関する。特に、第１長手方向軸を有し、且つ壁によって囲まれ、一端面において開口されると共に該一端面に対して間隔を置かれた端部を基部によって閉塞された挿入室を有する雌コネクタハウジングを備えた雌コネクタへの接続が行なわれる雄コネクタに関する。前記雌コネクタハウジングには、前記基部から前記挿入室に突出し且つ前記第１長手方向軸に対して平行に第１接点が配置されている。前記挿入室を囲んでいる前記壁の外方面上には、少なくとも１つの係止突起が突出して配置されている。該係止突起は、前記一端面から前記基部の方向に上り勾配となるように前記外方面から隆起された当接面と、該当接面に追随して前記外方面方向に前記当接面から延設された係止面とを有している。
【背景技術】
【０００２】
　従来から、雌コネクタに接続される雄コネクタが知られている（例えば、特許文献１〜特許文献４参照）。
【０００３】
【特許文献１】欧州特許第０８９６３９６Ａ２号明細書
【特許文献２】独国特許出願公開第１９８２８９６８Ａ１号明細書
【特許文献３】独国特許出願公開第１００５２９７０Ａ１号明細書
【特許文献４】欧州特許第１０８９３９３Ａ１号明細書
【発明の開示】
【発明が解決しようとする課題】
【０００４】
　特許文献１は雌コネクタおよび雄コネクタを含んでいるコネクタを記載している。雌コネクタは、雌コネクタハウジングと、壁によって囲まれた挿入室とを有している。挿入室は、雌コネクタハウジングの一端面に向かって開口され且つそれに対して間隔を置かれた端部を基部によって閉塞されている。雌コネクタは、接続方向を定義する第１長手方向軸を有している。雌コネクタハウジングには第１接点が配置されている。第１接点は第１長手方向軸に対して平行に整列され且つ基部から挿入室に突出している。この挿入室を囲んでいる壁の外方面には、係止突起が突出して配置されている。
【０００５】
　雄コネクタは、第１ハウジング部分と第２ハウジング部分とを設けられた雄コネクタハウジングを有している。雌コネクタとの接続の際に、第１ハウジング部分は雌コネクタの挿入室に進入する。第２ハウジング部分は、第１ハウジング部分に対して半径方向に間隔を置かれて配置されており、その結果２つの間には雌コネクタハウジングの壁を収容するギャップが形成される。弾性的に偏向可能なロックアームが雄コネクタの第２ハウジング部分に配置されており、ロックアームはロック位置に配置されるときスライダによって係止され、その際スライダは無負荷位置からズレるロックアームの偏向を阻止する。
【０００６】
　圧縮バネはスライダに配置されており、該圧縮バネは、スライダに支持されていないそれらの端部をクロスバーによって互いに接続されている。雄コネクタを雌コネクタに挿入する際に係止突起に当接する傾斜面をロックアームは有している。この場合に、スライダは、そのロック面がロックアームに接触しない位置に配置される。このためにロックアームは保持手段によって暫定的な（予備の）位置に保持される。雄コネクタが雌コネクタに挿入されるとき、フック状突起を設けられたロックアームが係止突起に当接するだけでなく、２つの圧縮バネを互いに接続するクロスバーが雌コネクタの端面に当接するようになる。雄コネクタがさらに挿入されると、バネが負荷される。ロックアームのフック状突起が係止突起の上を摺動して通過する。これにより、ロックアームは、そのロック面が係止突起の後部と係合する位置に到達する。これにより、圧縮バネはそれらの作用（即ち、係止手段がスライダを解放すること）により解放され、その結果、バネの作用によりスライダは係止突起から離間され、スライダの係止面がロックアームの上に乗り、ロックアームの偏向を防止して、ロックアームを係合位置に固定する。また、それにより、フックを有する係止アーム型の、スライダ上に形成された保持手段は、その元の位置に戻され、その結果、バネは再び無負荷状態となる。取り外しのために、スライダは雌コネクタハウジング上で雄コネクタの取り外し方向と反対方向に動かされることにより、その結果ロックアームが解放される。圧縮バネの支持のために十分に大きな接触面を設けるために、圧縮バネの延長部の延長上に配置される（即ち、接続方向に互いに平行に延び且つ雌コネクタの端面から係止突起まで延びる）リブが雌コネクタハウジングに設けられている。
【０００７】
　取り外しのために、スライダは、先ず、ロックアームが解放される程度まで雌コネクタ方向に移動される。これによって、圧縮バネは部分的に負荷され、且つ係止手段がスライダをこの位置にロックする。この位置において、保持手段がスライダの解放部分に作用する（即ちスライダは下方に付勢される）ことができ、それにより、解放部分はその下方に配置されたロックアームの突起に作用する。従って、ロックアームがシーソー状に懸架されるので、ロックアームのフック状突起は雌コネクタの係止突起との係合から解放される。雄コネクタが引っ張られると、雄コネクタは雌コネクタから分離される。この作業は厄介であり、特に安全な作業が要求される場合に、スライダに作用する圧縮バネを確実に支持するための雌コネクタ上のリブ状の追加手段を必要とする。雌コネクタから雄コネクタを解放する際に、位置決めしているスライダを移動させて、雌コネクタの係止突起からロックアームを解放する方向のロックアームへの力の印加を該スライダの動作部分により可能とする位置にスライダを配置するために、スライダは解放方向と反対方向に最初に動かされねばならない、という取り扱いはさらに不利である。同時に、雄コネクタを雌コネクタから分離するために雄コネクタが引っ張られねばならない。
【０００８】
　特許文献２は、雌コネクタと、雄コネクタとを含むコネクタに関し、該雌コネクタは、同時に雌コネクタの接点用短絡バーとして機能する板バネ状保持要素を有する。保持要素は２本の係止脚部を有しており、各係止脚部は、それぞれ雄コネクタの突起と接触して且つ接続時には変形されている。その結果、前記突起は、それぞれ係止脚部の鋭い屈曲を乗り越えるように摺動して、その後に元に戻り、その結果、雄コネクタが雌コネクタに固定される。さらに、雄コネクタと雌コネクタの接続が解除された状態において、雌コネクタの接点に接触する２本の接触脚部が設けられており、これら２本の接触脚部は保持要素の一部分であり、金属から作られ、故に電気伝導性を有する。従って、分離された状態において、接触脚部を介して接点間に短絡接点が形成される。雄コネクタを挿入する際に、これらは雌コネクタの接点との接触から外される。
【０００９】
　特許文献３は、雌コネクタおよび雄コネクタを含んでいるコネクタを記載しており、該雄コネクタにはスライダが配置され、スライダは圧縮バネと一体に形成されており、圧縮バネは、挿入の間に、先ず負荷され、接続状態が完了されない限り排除力を発生する。さらに、接続された状態においてスライダは保持要素として役立つ。圧縮バネとして形成される弾性部分は蛇状に屈曲された板バネ状部分を含んでいる。
【００１０】
　特許文献４は、雌コネクタを記載しており、該雌コネクタは、壁によって囲まれる挿入室を備え、且つ挿入室には雄コネクタが挿入され得る。水密構造を達成するために、雄コネクタは、雌コネクタの挿入室に進入する部分に、該挿入室の内方面に接触する密封体を有している。雌コネクタの挿入室に進入する雄コネクタの部分は、雄コネクタの後部区域に対して、断面について先細るように形成される。
【００１１】
　本発明は、前述した事情に鑑みてなされたものであり、その目的は、従来技術による雌コネクタ（即ち、少なくとも１つの保持突起が設けられた雌コネクタ）に用いられる雄コネクタであって、雄コネクタが簡単な方法で操作され、且つ最終的な接続が完了されない限り、雄コネクタを雌コネクタから分離する力を発生する雄コネクタを提供することにある。
【課題を解決するための手段】
【００１２】
　前述した目的を達成するため、本発明に係る雄コネクタは下記の点を特徴としている。
【００１３】
　雄コネクタハウジングと、
　スライダと、
　少なくとも１つの圧縮バネと、
　弾性の保持要素と、を備え、
　前記雄コネクタハウジングが、
　第２長手方向軸と、
　２本の長手方向軸が互いに平行に配置されるときに前記挿入室に挿入可能であると共に、前記複数の第１接点に嵌合して電気的に接続される複数の第２接点への到達を可能にする端面が設けられた第１ハウジング部と、
　前記第２長手方向軸を横断する方向にギャップをもって、接続時に前記雌コネクタハウジングの前記壁を収容する第２ハウジング部と、
　前記第２のハウジング部分に一体に接続されると共に前記雌コネクタハウジングへの接続の際に前記係止突起に対向して配置されるロック支柱が設けられた弾性的に偏向可能なロックアームと、
　前記ロック支柱に対して間隔を置かれた前記ロックアームの端部に近接し、前記ロック支柱から離れる方向に前記第２の長手方向軸から離間していく解放面と、
　を有し、
　前記スライダが、
　前記第２長手方向軸に沿った方向に制限されて前記雄コネクタハウジングの前記第２ハウジング部に変位可能に保持されており、ロック位置において、前記ロックアームの無負荷状態からの偏向を防止し、且つロック位置から離れた位置において、前記ロックアームを解放し、
　前記圧縮バネが、
　一端を前記雄コネクタハウジングの前記第２のハウジング部分に支持されると共に他端を前記スライダに支持され、前記スライダがロック位置をとるように前記スライダに作用し、
　前記保持要素が、
　ロッド状の鋼材料より形成され、
　前記スライダに取付けられ、
　前記第２長手方向軸に対して横方向に弾性変形可能な少なくとも２つのバネ脚部を有し、
　該バネ脚部がそれぞれの一端において接続されると共に前記バネ脚部の無負荷状態において、前記雌コネクタハウジングの前記端面に接触する部分を形成し、そして前記雄コネクタハウジングの前記解放面に当接することによって前記端面の接触から外れ、
　前記バネ脚部のそれぞれの自由端が取付け部分として形成されている。
【発明の効果】
【００１４】
　上記のように構成された雄コネクタにおける利点は、該雄コネクタを、少なくとも１つの保持突起を有する（従来技術による）一般的な雌コネクタと共に使用することができ、その結果、雌コネクタを変更することなく、最終的な接続位置が達成されない限り、雄コネクタを雌コネクタから分離することが保証されるということである。さらに、雄コネクタを雌コネクタに接続する際に、雄コネクタハウジングのみが作動されるだけでよく、即ち、雌コネクタハウジングに対して、雄コネクタハウジングを該雌コネクタハウジングの基部に向かって動かすことで、その操作が簡単化される。雄コネクタハウジングの雌コネクタハウジングに対する位置に応じて、保持要素が雌コネクタハウジングの端面との係合から外れ、それにより雄コネクタハウジングとスライダとの間に作用する圧縮バネの反発力が解放されるので、ロックアームの係止を完了するためのスライダの解放が自動的に達成される。スライダは、ロックアームの解放位置への変位に抗してロックアームを固定するように、雌コネクタハウジングおよび雄コネクタハウジングに対して変位される。この位置は、雄コネクタを雌コネクタから分離するためにスライダが分離方向に作動されることにより簡単に解除され得る。さらに重要な利点は、保持要素が別個の構成要素、即ち、スライダと別個の構成要素であり、実質的に磨耗または硬化を示さない材料から作られるということである。
【００１５】
　好適な実施形態において、保持要素が接続部分から互いに間隔を置かれて突出するバネ脚部を有しており、各バネ脚部が該バネ脚部に折り曲げて取付けられる取付け部分を有し、各取付け部分がスライダの別個の挿入孔に係合し、該挿入孔が前記第２長手方向軸に対して直角に、且つ互いに平行に延設されている。
【００１６】
　このため、好ましくは、各バネ脚部が接続部分と交差して該接続部分から延出するように巻回部分を介して接続部分から連続する。各取付け部分を互いに平行にオフセットするように各バネ脚部が接続部分から延設されることが組立時に好適である。好ましくは、保持要素が円形のワイヤから作られる。保持要素がステンレス鋼から作られることが好適である。
【００１７】
　雌コネクタと雄コネクタとの最終的なロック状態において、鋼から作られる保持要素はその通常の位置から弾性的に偏向されるので、即ち、雌コネクタと雄コネクタが互いに接続されている限り負荷されるので、ステンレス鋼から作られることが好適である。
【００１８】
　本発明の実施形態において、ロックアームが枠状に形成され、保持要素がロックアームの２本の長手方向支柱間に配置され、そしてロック支柱が２本の長手方向支柱の自由端に横架して接続している。
【００１９】
　ロックアームが係止突起との係合から解放されることを可能にするために、スライダが少なくとも１つの解放突起を有しており、スライダを変位させて雄コネクタと雌コネクタとを分離する際に、解放突起がロック支柱を係止突起から解放するように前記ロックアームに作用する。
【発明を実施するための最良の形態】
【００２０】
　以下、本発明に係る好適な実施形態を図面に基づいて詳細に説明する。
【００２１】
　図１は雌コネクタの斜視図、図２はスライダに加えロックアームおよび圧縮バネを備えた雄コネクタの斜視図、図３は雄コネクタの別角度における斜視図、図４は圧縮バネを備えたスライダの斜視図、そして、図５は保持要素の斜視図である。
【００２２】
　図１には、装置のハウジングに接続可能な一般的な雌コネクタが示されている。雌コネクタ１は第１長手方向軸３を含んでいる雌コネクタハウジング２を備えている。さらに、雌コネクタハウジング２は、角丸めされた開口断面を有する矩形状の挿入室５を囲む壁４を含んでいる。挿入室５は端面６において開放され、且つ端面６と間隔を置かれた端部を基部８によって閉塞されている。壁４は、端面６から挿入室５に向かって延びる面取りを施されている。ピン状または舌状の複数の第１接点７が基部８から突出している。第１接点７は第１長手方向軸３に対して平行に整列されている。壁４の外方面９上には、少なくとも１つの係止突起１０が配置されており、この係止突起１０は、端面６に向かう方向に傾斜された当接面１１を有しており、この傾斜された当接面１１は、端面６側の端部から基部８に向かう方向に外方面９から離れて延びている（即ち、上昇するように傾斜されている）。係止面１２が、好ましくは直角にまたは必要ならばアンダーカットを有して、外方面９に向かう方向に続いている。
【００２３】
　図２および図３には、雄コネクタ１３の雄コネクタハウジング１４が示されている。雄コネクタハウジング１４は第２長手方向軸１５を有している。雄コネクタハウジング１４は、雌コネクタ１に接続する際に、挿入室５に進入する第１ハウジング部分１６を有している。このために、第１長手方向軸３と第２長手方向軸１５とは互いに一直線に整列される。第１ハウジング部分１６は端面１７から出発しており、端面１７には接点挿入室と連通する開口が設けられ、該挿入室には雌端子型の図示しない複数の第２接点が挿入され固定されている。
【００２４】
　雄コネクタ１３と雌コネクタ１とが接続された状態において壁４を受容するためのギャップ１８を形成して、第２ハウジング部分１９が第１ハウジング部分１６に取付けられている。第２ハウジング部分１９は、端面１７と間隔を置かれて、第１ハウジング部分１６と一体に形成されている。第１ハウジング部分１６の断面は、雌コネクタ１の雌コネクタハウジング２の挿入室の断面に本質的に適合させらており、即ち、断面において角丸めされた略矩形状とされている。第２ハウジング部分１９への第１ハウジング部分１６のハウジング接続部分２０にはロックアーム２２が形成されており、ロックアーム２２は枠状に成形され、そして２本の長手方向支柱２４を備えており、長手方向支柱２４は互いに間隔をおいて平行に配置され、ハウジング接続部分２０上の端部に雄コネクタハウジング１４と一体に形成され且つ端面１７から間隔を置かれている。２本の長手方向支柱２４の端面１７に近接する端部は横に延びる係止支柱２３によって互いに接続されており、係止支柱２３は、雌コネクタ１の係止突起１０をロックするためのロック手段として機能する。係止支柱２３は、そのロック面２１を、雌コネクタ１への雄コネクタ１３の接続方向（挿入方向）における係止面１２の背後に置く。
【００２５】
　ハウジング接続部分２０に接続される長手方向支柱２４の端部区域において、長手方向支柱２４の間に、且つ長手方向支柱２４の下方にオフセットされて解放面２５が配置されており、その解放面２５は端面１７から離れると共に第２長手方向軸１５から離れるように延びている。さらに、ロックアーム２２の長手方向支柱２４の側方区域には、圧縮バネ２７をその一端で支持する２つの第１バネ支持体２６が配置されている。ロック支柱２３はその前縁部に調整面２８を有している。第２ハウジング部分１９のガイド２９には、スライダ３０が、第２の長手方向軸線１５に沿って変位可能に制限されて保持されている。
【００２６】
　スライダ３０の設計は図４に特に示されている。スライダ３０は２つの平行な筒状の第２バネ支持体３１を有しており、圧縮バネ２７が他端を支持されてバネ支持体３１内にある。スライダ３０の側方外部には当接突起３２が設けられており、当接突起３２は、雄コネクタハウジング１４上に組み付けられたスライダ３０のハウジング接続部分２０から離れる方向の運動を制限する。さらに、スライダ３０は操作部分３３を有しており、操作部分３３は、手動操作のために外部からの到達を可能とするように第２ハウジング部分１９の貫通孔に露出されている。図２および図３に示される位置においてスライダ３０は雌コネクタ１と雄コネクタ１３との最終的な接続位置をとり、スライダ３０はロック耳片３４と共にロックアーム２２のロック支柱２３の上に載置して、変位に抗してロックアーム２２を保持する。
【００２７】
　２つの解放突起３５がスライダ３０に配置されており、解放突起３５は、雄コネクタ１３を雌コネクタ１から取り外す際に、ハウジング接続部分２０に向かう方向にスライダ３０を動かすときにロックアーム２２を解放する。この時、ロック耳片３４が最初にロック支柱２３から離れるように移動され、次いで解放突起３５が調整面２８に当接してロックアーム２２が持ち上げられ、その結果ロック支柱２３が係止突起１０との係合から外れ、そして雄コネクタ１３が雌コネクタ１から分離され得る。
【００２８】
　図５に示されるように、保持要素３６がスライダ３０に配置されている。保持要素３６はステンレス鋼から作られた円形のワイヤからなっている。
【００２９】
　２本のバネ脚部３８が接続部分３７から横方向に突出している。各バネ脚部は巻回部分４０を介して接続部分３７の端部に取付けられており、その結果、各バネ脚部は接続部分３７と交差して接続部分３７から離間する。接続部分３７と間隔を置かれた各バネ脚部３８の端部には、取付け部分３９がバネ脚部３８に対して折り曲げて取付けられている。各取付け部分３９は接続部分３７に対して平行に且つ互いに向かって延びている。それらは互いに平行に延びている。取付け部分３９は、スライダ３０のロック耳片３４の互いにオフセットされた孔４１，４２に挿入される。これにより、巻回部分４０の領域にまたは接続部分３７上に旋回運動が生じるとき、対向モーメントが発生する。
【００３０】
　圧縮バネ２７は、雄コネクタハウジング１４上において図２および図３に示される位置を取るようにスライダ３０に作用する。第１長手方向軸３と第２長手方向軸１５とが互いに一直線に整列される際に、第１ハウジング部分１６が雌コネクタハウジング２の挿入室５に挿入される。これにより、巻回部分４０と共に保持要素３６は、雌コネクタ１の端面６に、または挿入室５に向かって続く面取りにそれぞれ当接するようになる。保持要素３６は無負荷状態となる。雌コネクタ１と雄コネクタ１３がさらに接続方向に動かされると、スライダ３０は雌コネクタ１に対して固定されたままであり、一方、第１ハウジング部分１６は挿入室５内により深く動く。このとき、ロックアーム２２は解放され、弾性的に変形されながら、そのロック支柱２３が係止突起１０の当接面１１を越えて通過するように摺動し、保持面１２の背後に係合することができる。
【００３１】
　雌コネクタ１に向かい合っているスライダ３０の端面は、第１ハウジング部分１６の端面１７と同一の平面内にもはやなく、すでにロック支柱２３に近接している。
【００３２】
　この運動の間に、第１接点７は雄コネクタハウジング１４の第１ハウジング部分１６内により深く動かされる。同時に雄コネクタハウジング１４の解放面２５は、巻回部分４０または保持要素３６の接続部分３７それぞれの下方に移動し、その結果、同時にまたは挿入室５への雄コネクタハウジング１４のさらなる挿入と共に、雌コネクタ１の基部８に向かう端面１７の接近の間に、保持要素３６が偏向され、その結果、巻回部分４０が雌コネクタ１の端面６との接触から外れる。雌コネクタ１への雄コネクタ１４の挿入の間に、負荷された圧縮バネ２７は解放され、雄コネクタ１４に対してスライダ３０を基部８に向かう方向に変位させることができ、それにより、保持要素３６は雌コネクタ１の外方面９上を摺動する。この位置において圧縮バネ２７は無負荷とされており、且つスライダ３０は、雄コネクタハウジング１４に対して図２および図３に示される位置を再びとり、その位置においてロックアーム２２は第２長手方向軸１５から離れる変位に抗して固定される。
【００３３】
　無負荷状態における保持要素３６の運動はスライダ３０の耳片３４上の当接部４３によって制限され得る。
【００３４】
　上述した本発明の特徴を以下第１項〜第８項に簡潔に纏めて列記する。
【００３５】
　１．　雌コネクタ（１）に接続するための雄コネクタ（１３）であって、
　前記雌コネクタ（１）が雌コネクタハウジング（２）を備えており、
　前記雌コネクタハウジング（２）が、
　第１長手方向軸（３）と、
　壁（４）によって囲まれ、且つ前記雌コネクタハウジング（２）の一端面（６）において開口されると共に該一端面（６）に対して間隔を置かれた一端を基部（８）によって閉塞された挿入室（５）と、を有しており、
　複数の第１接点（７）が、前記第１長手方向軸（３）に対して平行に、且つ前記基部（８）から前記挿入室（５）に突出して前記雌コネクタハウジング（２）に配置され、
　少なくとも１つの係止突起（１０）が、前記挿入室（５）を囲む前記壁（４）の外方面（９）上に突出して配置され、
　前記係止突起（１０）が、前記一端面（６）から基部（８）方向に上昇するように前記外方面（９）から隆起された当接面（１１）と、前記基部（８）側に前記外方面（９）に向けられた係止面（１２）を有しており、
　前記雄コネクタ（１３）が、
　雄コネクタハウジング（１４）と、
　スライダ（３０）と、
　少なくとも１つの圧縮バネ（２７）と、
　弾性の保持要素（３６）と、を備え、
　前記雄コネクタハウジング（１４）が、
　第２長手方向軸（１５）と、
　２本の長手方向軸（３，１５）が互いに平行に配置されるときに前記挿入室（５）に挿入可能であると共に、前記複数の第１接点（７）に嵌合して電気的に接続される複数の第２接点への到達を可能にする端面（１７）が設けられた第１ハウジング部（１６）と、
　前記第２長手方向軸（１５）を横断する方向にギャップ（１８）をもって、接続時に前記雌コネクタハウジング（２）の前記壁（４）を収容する第２ハウジング部（１９）と、
　前記第２のハウジング部分（１９）に一体に接続されると共に前記雌コネクタハウジング（２）への接続の際に前記係止突起（１０）に対向して配置されるロック支柱（２３）が設けられた弾性的に偏向可能なロックアーム（２２）と、
　前記ロック支柱（２３）に対して間隔を置かれた前記ロックアーム（２２）の端部に近接し、前記ロック支柱（２３）から離れる方向に前記第２の長手方向軸（１５）から離間していく解放面（２５）と、
　を有し、
　前記スライダ（３０）が、
　前記第２長手方向軸（１５）に沿った方向に制限されて前記雄コネクタハウジング（１４）の前記第２ハウジング部（１９）に変位可能に保持されており、ロック位置において、前記ロックアーム（２２）の無負荷状態からの偏向を防止し、且つロック位置から離れた位置において、前記ロックアーム（２２）を解放し、
　前記圧縮バネ（２７）が、
　一端を前記雄コネクタハウジング（１４）の前記第２のハウジング部分（１９）に支持されると共に他端を前記スライダ（３０）に支持され、前記スライダ（３０）がロック位置をとるように前記スライダ（３０）に作用し、
　前記保持要素（３６）が、
　ロッド状の鋼材料より形成され、
　前記スライダ（３０）に取付けられ、
　前記第２長手方向軸（１５）に対して横方向に弾性変形可能な少なくとも２つのバネ脚部（３８）を有し、
　該バネ脚部（３８）がそれぞれの一端において接続されると共に前記バネ脚部（３８）の無負荷状態において、前記雌コネクタハウジング（２）の前記端面（６）に接触する部分（３７、４０）を形成し、そして前記雄コネクタハウジング（１４）の前記解放面（２５）に当接することによって前記端面（６）の接触から外れ、
　前記バネ脚部（３８）のそれぞれの自由端が取付け部分（３９）として形成されている
　　ことを特徴とする雄コネクタ。
【００３６】
　２．上記第１項に記載された雄コネクタにおいて、前記保持要素（３６）が、前記接続部分（３７）から互いに間隔を置かれて突出する前記バネ脚部（３８）を有し、
　前記バネ脚部（３８）が、該バネ脚部（３８）に折り曲げて取付けられた取付け部分（３９）をそれぞれ有し、
　前記取付け部分（３９）が、前記スライダ（３０）の別個の挿入孔（４１，４２）にそれぞれ係合し、
　前記挿入孔（４１，４２）が、前記第２長手方向軸（１５）に対して直角に且つ互いに平行に延びていることを特徴とする雄コネクタ。
【００３７】
　３．上記第２項に記載された雄コネクタにおいて、前記バネ脚部（３８）が、前記接続部分（３７）と交差して該接続部分（３７）から離れるように、前記巻回部分（４０）を介して前記接続部分（３７）にそれぞれ取付けられていることを特徴とする雄コネクタ。
【００３８】
　４．上記第１項に記載された雄コネクタにおいて、前記取付け部分（３９）が互いに平行にオフセットされるように、前記各バネ脚部（３８）が前記接続部分（３７）からそれぞれ延設されていることを特徴とする雄コネクタ。
【００３９】
　５．上記第１項〜第４項のいずれか一項に記載された雄コネクタにおいて、前記保持要素（３６）が円形のワイヤから作られていることを特徴とする雄コネクタ。
【００４０】
　６．上記第１項に記載された雄コネクタにおいて、前記保持要素（３６）がステンレス鋼から作られていることを特徴とする雄コネクタ。
【００４１】
　７．上記第１項に記載された雄コネクタにおいて、前記ロックアーム（２２）が枠状に形成されており、前記保持要素（３６）が前記ロックアーム（２２）の２本の前記長手方向支柱（２４）の間に配置されており、前記ロック支柱（２３）が前記２本の長手方向支柱（２４）のそれぞれの自由端に横架して接続していることを特長とする雄コネクタ。
【００４２】
　８．上記第１項に記載された雄コネクタにおいて、前期スライダ（３０）が少なくとも１つの前記解放突起（３５）を有しており、前記スライダ（３０）を変位させて前記雌コネクタ（１）を前記雄コネクタ（１３）から分離する際に、前記解放突起（３５）が、前記係止突起（１０）から前記ロック支柱（２３）を解放するように、前記ロックアーム（２２）に作用することを特徴とする雄コネクタ。
【図面の簡単な説明】
【００４３】
【図１】雌コネクタを示す斜視図である。
【図２】ロックアームおよび圧縮バネならびにスライダに鑑みて雄コネクタを示す斜視図である。
【図３】雌コネクタを示すさらに他の斜視図である。
【図４】圧縮バネとともにスライダを示す斜視図である。
【図５】保持要素を示す斜視図である。
【符号の説明】
【００４４】
　１　　雌コネクタ
　２　　雌コネクタハウジング
　３　　第１長手方向軸
　４　　壁
　５　　挿入室
　６　　端面
　７　　第１接点
　８　　基部
　９　　外方面
　１０　係止突起
　１１　当接面
　１２　係止面
　１３　雄コネクタ
　１４　雄コネクタハウジング
　１５　第２長手方向軸
　１６　第１ハウジング部分
　１７　端面
　１８　ギャップ
　１９　第２ハウジング部分
　２０　ハウジング接続部分
　２１　ロック面
　２２　ロックアーム
　２３　ロック支柱／ロック手段
　２４　長手方向支柱
　２５　解放面
　２６　第１バネ支持体
　２７　圧縮バネ
　２８　調整面
　２９　ガイド
　３０　スライダ
　３１　第２バネ支持体
　３２　当接突起
　３３　操作部分
　３４　ロック耳片
　３５　解放突起
　３６　保持要素
　３７　接続部分
　３８　バネ脚部
　３９　取付け部分
　４０　巻回部分
　４１　挿入孔
　４２　挿入孔
　４３　当接部
【図１】
2004139985.tif 000003
【図２】
2004139985.tif 000004
【図３】
2004139985.tif 000005
【図４】
2004139985.tif 000006
【図５】
2004139985.tif 000007